(57)【要約】【課題】本発明は、一度も聴取していない楽曲データを再生する際にも、適切な音量に調整することができる音声データ再生装置および音声データ再生方法を提供することを課題とする。【解決手段】音量レベル変更情報記憶部１９にフォーマットに応じたレベル補正値が設定されている音量レベル変更情報を記憶しておき、デコーダ部１２によってフォーマットを判別し、制御部２０は、判別したフォーマットに基づいて音量レベル変更情報を検索することで、レベル補正値を取得し、取得したレベル補正値によって音量を調整する設定レベルを補正する。【選択図】        図１
2007265497.tif 000002
【特許請求の範囲】
【請求項１】
所定のフォーマットに圧縮された音声データを再生する音声データ再生装置であって、
設定された設定レベルに音量を調整する音量調整手段と、
前記フォーマットに応じたレベル補正値が設定されている音量レベル変更情報が記憶されている音量レベル変更情報記憶手段と、
前記音声データの前記フォーマットを判別するフォーマット判別手段と、
該フォーマット判別手段によって判別された前記フォーマットに基づいて前記音量レベル変更情報記憶手段に記憶されている前記音量レベル変更情報を検索することで、前記レベル補正値を取得し、取得した前記レベル補正値によって前記設定レベルを補正する音量制御手段とを具備することを特徴とする音声データ再生装置。
【請求項２】
前記音量レベル変更情報には、前記フォーマットおよび前記音声データのチャンネル数に応じた前記レベル補正値が設定されており、
前記フォーマット判別手段は、前記音声データの前記チャンネル数を判別し、
前記音量制御手段は、前記フォーマット判別手段によって判別された前記フォーマットおよび前記チャンネル数に基づいて前記音量レベル変更情報記憶手段に記憶されている前記音量レベル変更情報を検索することで、前記レベル補正値を取得することを特徴とする請求項１記載の音声データ再生装置。
【請求項３】
前記音量制御手段は、再生中に音量レベルが変更された場合には、変更された前記音量レベルに応じて前記音量レベル変更情報の前記レベル補正値を更新させることを特徴とする請求項１又は２記載の音声データ再生装置。
【請求項４】
所定のフォーマットに圧縮された音声データを再生する音声データ再生方法であって、
前記フォーマットに応じたレベル補正値が設定されている音量レベル変更情報を記憶しておき、
前記音声データの前記フォーマットを判別し、
判別した前記フォーマットに基づいて前記音量レベル変更情報を検索することで、前記レベル補正値を取得し、
取得した前記レベル補正値によって音量を調整する設定レベルを補正することを特徴とする音声データ再生方法。
【請求項５】
前記音量レベル変更情報に前記フォーマットおよび前記音声データのチャンネル数に応じた前記レベル補正値を設定しておき、
前記音声データの前記フォーマットおよび前記チャンネル数を判別し、
判別した前記フォーマットおよび前記チャンネル数に基づいて前記音量レベル変更情報を検索することで、前記レベル補正値を取得することを特徴とする請求項４記載の音声データ再生方法。
【請求項６】
再生中に音量レベルが変更された場合には、変更された前記音量レベルに応じて前記音量レベル変更情報の前記レベル補正値を更新することを特徴とする請求項４又は５記載の音声データ再生方法。
【発明の詳細な説明】
【技術分野】
【０００１】
本発明は、音声データを再生する音声データ再生装置および音声データ再生方法に関し、特にＡＡＣ（Advanced Audio Coding）、ＭＰ３（MPEG Audio Layer-3）、ＡＣ３（Audio Code number 3）等のフォーマット（音声圧縮形式）で圧縮された音声データを再生する音声データ再生装置および音声データ再生方法に関する。
【背景技術】
【０００２】
ＨＤＤ、フラッシュメモリ等の大容量の記憶媒体に記憶された大量の楽曲データを読み出して再生する音声データ再生装置において、楽曲データを再生した際の音量を記憶しておき、再度、同じ楽曲データが再生した際に、記憶している音量で再生を行うようにする技術が提案されている（例えば、特許文献１参照）。
【０００３】
しかしながら、従来技術では、聴取した楽曲データの音量を記憶しておく必要があるため、一度も聴取していない楽曲データを再生する際には、適切な音量に調整することができないという問題点があった。
【特許文献１】特開２００３−７０３８号公報
【発明の開示】
【発明が解決しようとする課題】
【０００４】
本発明は斯かる問題点に鑑みてなされたものであり、その目的とするところは、一度も聴取していない楽曲データを再生する際にも、適切な音量に調整することができる音声データ再生装置および音声データ再生方法を提供する点にある。
【課題を解決するための手段】
【０００５】
本発明は上記課題を解決すべく、以下に掲げる構成とした。
本発明の音声データ再生装置は、所定のフォーマットに圧縮された音声データを再生する音声データ再生装置であって、設定された設定レベルに音量を調整する音量調整手段と、前記フォーマットに応じたレベル補正値が設定されている音量レベル変更情報が記憶されている音量レベル変更情報記憶手段と、前記音声データの前記フォーマットを判別するフォーマット判別手段と、該フォーマット判別手段によって判別された前記フォーマットに基づいて前記音量レベル変更情報記憶手段に記憶されている前記音量レベル変更情報を検索することで、前記レベル補正値を取得し、取得した前記レベル補正値によって前記設定レベルを補正する音量制御手段とを具備することを特徴とする。
【０００６】
さらに、本発明の音声データ再生装置においては、前記音量レベル変更情報には、前記フォーマットおよび前記音声データのチャンネル数に応じた前記レベル補正値が設定されており、前記フォーマット判別手段は、前記音声データの前記チャンネル数を判別し、前記音量制御手段は、前記フォーマット判別手段によって判別された前記フォーマットおよび前記チャンネル数に基づいて前記音量レベル変更情報記憶手段に記憶されている前記音量レベル変更情報を検索することで、前記レベル補正値を取得することを特徴とする。
【０００７】
さらに、本発明の音声データ再生装置においては、前記音量制御手段は、再生中に音量レベルが変更された場合には、変更された前記音量レベルに応じて前記音量レベル変更情報の前記レベル補正値を更新させることを特徴とする。
【０００８】
また、本発明の音声データ再生方法は、所定のフォーマットに圧縮された音声データを再生する音声データ再生方法であって、前記フォーマットに応じたレベル補正値が設定されている音量レベル変更情報を記憶しておき、前記音声データの前記フォーマットを判別し、判別した前記フォーマットに基づいて前記音量レベル変更情報を検索することで、前記レベル補正値を取得し、取得した前記レベル補正値によって音量を調整する設定レベルを補正することを特徴とする。
【０００９】
さらに、本発明の音声データ再生方法においては、前記音量レベル変更情報に前記フォーマットおよび前記音声データのチャンネル数に応じた前記レベル補正値を設定しておき、前記音声データの前記フォーマットおよび前記チャンネル数を判別し、判別した前記フォーマットおよび前記チャンネル数に基づいて前記音量レベル変更情報を検索することで、前記レベル補正値を取得することを特徴とする。
【００１０】
さらに、本発明の音声データ再生方法においては、再生中に音量レベルが変更された場合には、変更された前記音量レベルに応じて前記音量レベル変更情報の前記レベル補正値を更新することを特徴とする。
【発明の効果】
【００１１】
本発明の音声データ再生装置および音声データ再生方法は、フォーマットに応じたレベル補正値が設定されている音量レベル変更情報を記憶しておき、判別したフォーマットに基づいて音量レベル変更情報を検索することで、レベル補正値を取得し、取得したレベル補正値によって音量を調整する設定レベルを補正するように構成することにより、異なるフォーマット毎に適切な音量に調整することができるため、一度も聴取していない楽曲データを再生する際にも、適切な音量に調整することができるという効果を奏する。
【００１２】
さらに、本発明の音声データ再生装置および音声データ再生方法は、音量レベル変更情報に音声データのフォーマットおよびチャンネル数に応じたレベル補正値を設定しておき、判別したフォーマットおよびチャンネル数に基づいて音量レベル変更情報を検索することで、レベル補正値を取得し、取得したレベル補正値によって音量を調整する設定レベルを補正するように構成することにより、異なるフォーマットおよびチャンネル数毎に適切な音量に調整することができるため、一度も聴取していない楽曲データを再生する際にも、適切な音量に調整することができるという効果を奏する。
【００１３】
さらに、本発明の音声データ再生装置および音声データ再生方法は、再生中に音量レベルが変更された場合には、変更された音量レベルに応じて音量レベル変更情報のレベル補正値を更新するように構成することにより、異なるフォーマット毎にユーザの好みに応じた音量調整を簡単に行うことができるという効果を奏する。
【発明を実施するための最良の形態】
【００１４】
以下、本発明の実施の形態を図面に基づいて詳細に説明する。
【００１５】
図１は、本発明に係る音声データ再生装置の実施の形態の構成を示すブロック図であり、図２は、図１に示す操作部によって設定可能な音量レベルと音量ボリュームの設定レベルとの対応を示す図であり、図３は、図１に示す音量レベル変更情報記憶部に記憶されている音量レベル変更情報例を示す図である。
【００１６】
本実施の形態の音声データ再生装置は、ＡＡＣ（Advanced Audio Coding）、ＭＰ３（MPEG Audio Layer-3）、ＡＣ３（Audio Code number 3）等のフォーマット（音声圧縮形式）で圧縮されている音声データを再生する音声データ再生装置であり、音声データ入力部１１と、デコーダ部１２と、音場処理部１３と、音量ボリューム１４と、Ｄ／Ａ変換部１５と、スピーカ１６と、操作部１７と、表示部１８と、音量レベル変更情報記憶部１９と、制御部２０とを備えている。
【００１７】
音声データ入力部１１は、ＣＤ、ＤＶＤ、フラッシュメモリ等の記憶媒体に記録されている音声データを読み取る図示しないデータ読み取り装置やインターネット等のネットワークから入力された音声データを受け付け、受け付けた音声データをデコーダ部１２に出力する。
【００１８】
デコーダ部１２は、ＡＡＣ（Advanced Audio Coding）、ＭＰ３（MPEG Audio Layer-3）、ＡＣ３（Audio Code number 3）等のフォーマットで圧縮されている音声データを伸長する機能を有し、入力された音声データのフォーマットと、チャンネル数とを判別し、判別したフォーマットに基づいて音声データを伸長して音場処理部１３に出力すると共に、判別したフォーマットおよびチャンネル数を制御部２０に出力する。
【００１９】
音場処理部１３は、特定の周波数範囲内で音量を上げたり下げたりして音声データの再生を微調整するイコライザ処理等の音場処理を行う音場処理手段であり、制御部２０からの指示に基づいた音場処理を行い、音場処理を行った音声データを音量ボリューム１４に出力する。
【００２０】
音量ボリューム１４は、制御部２０に指示された音量レベルに音声データを調整するデジタルアッテネータ等の音量調整手段であり、音量ボリューム１４によって音量調整が行われた音声データは、Ｄ／Ａ変換部１５によってアナログ信号に変換され、スピーカ１６から音声出力される。
【００２１】
操作部１７は、音声データの再生に係る各種入力を受け付ける操作キー等からなる入力手段であり、音量レベルを変更する音量レベル変更入力が行われる。なお、音量レベルは、図２に示すように、０〜４０の範囲で行うことができるように構成されており、音量レベルが１段階アップされると、音量ボリューム１４の設定レベルが１ｄＢアップされ、音量レベルが１段階ダウンされると、音量ボリューム１４の設定レベルが１ｄＢダウンされるように構成されている。
【００２２】
表示部１８は、液晶ディスプレイ等の表示手段であり、操作部１７によって受け付ける各種入力の案内情報や、設定されている音量レベルや、再生する音声データの各種情報が表示される。
【００２３】
音量レベル変更情報記憶部１９は、電源を切ってもデータが消去されないフラッシュメモリ等の記憶手段であり、音声データのフォーマットおよびチャンネル数に応じた音量のレベル補正値が設定されている音量レベル変更情報が記憶されている。なお、本実施の形態の音量レベル変更情報は、図３に示すように、フォーマット（Ａ、Ｂ、Ｃ）およびチャンネル数（１ｃｈ、２ｃｈ、４ｃｈ、５．１ｃｈ、６．１ｃｈ）に応じた音量のレベル補正値がそれぞれ設定されているものとする。
【００２４】
制御部２０は、音声データ再生装置の各種制御を行う制御手段であり、デコーダ部１２から入力されたフォーマットおよびチャンネル数に基づいて、音量レベル変更情報記憶部１９に記憶されている音量レベル変更情報を検索することで、レベル補正値を取得し、取得したレベル補正値に基づいて音量ボリューム１４を制御すると共に、音声データの再生中に、操作部１７から入力された音量レベル変更入力に基づいて、音量レベル変更情報記憶部１９に記憶されている音量レベル変更情報を更新する。
【００２５】
次に、本実施の形態の動作について図４および図５を参照して詳細に説明する。
図４は、本発明に係る音声データ再生装置の実施の形態における音量レベル自動調整動作および音量レベル変更情報更新動作を説明するためのフローチャートであり、図５は、本発明に係る音声データ再生装置の実施の形態における音量レベル変更情報更新動作によって更新された音量レベル変更情報例を示す図である。
【００２６】
操作部１７から再生する音声データの選択と再生開始を指示する入力が行われると、制御部２０は、音声データ入力部１１に音声データの入力を指示し、音声データ入力部１１は、図示しないデータ読み取り装置やネットワークからの音声データの入力を受け付け（ステップＡ１）、受け付けた音声データをデコーダ部１２に出力する。なお、本実施の形態では、音声データ入力部１１から入力される音声データがフォーマットＢでチャンネル数が２ｃｈである場合について説明する。
【００２７】
デコーダ部１２は、入力された音声データのフォーマットおよびチャンネル数を判別し（ステップＡ２）、判別したフォーマットに基づいて音声データを伸長して音場処理部１３に出力すると共に、判別したフォーマットおよびチャンネル数（フォーマットＢおよび２ｃｈ）を制御部２０に出力する。
【００２８】
デコーダ部１２からフォーマットおよびチャンネル数が入力された制御部２０は、フォーマットおよびチャンネル数（フォーマットＢおよび２ｃｈ）に基づいて、音量レベル変更情報記憶部１９に記憶されている音量レベル変更情報を検索することで（ステップＡ３）、レベル補正値が設定されているか否か、すなわち０ｄＢ以外の値であるか否かを判断し（ステップＡ４）、レベル補正値が設定されている場合には、設定されているレベル補正値を取得する。なお、本実施の形態では、フォーマットＢおよびチャンネル数：２ｃｈに基づいて音量レベル変更情報が検索され、レベル補正値：−３ｄＢが取得されることになる。
【００２９】
次に、制御部２０は、予め設定、もしくは操作部１７からの入力により設定されている音場処理を音場処理部１３に指示すると共に、音量ボリューム１４の現在の設定レベルを取得したレベル補正値に基づいて変更する音量レベル自動調整処理を行う（ステップＡ５）。例えば、音量ボリューム１４の設定レベルが−１７ｄＢ（音量レベル：２３）に設定されていた場合には、設定レベルが−３ｄＢされて−２０ｄＢ（音量レベル：２０）に変更される。
【００３０】
これにより、デコーダ部１２によって伸長された音声データは、音場処理部１３で音場処理が行われた後に、レベル補正値に基づいて変更された設定レベルに音量ボリューム１４で音量調整が行われ、Ｄ／Ａ変換部１５によってアナログ信号に変換され、スピーカ１６から音声出力される（ステップＡ６）。
【００３１】
ステップＡ４でレベル補正値が設定されていない場合、すなわちレベル補正値が０ｄＢである場合には、デコーダ部１２によって伸長された音声データは、音場処理部１３で音場処理が行われた後に、音量レベル自動調整処理を行うことなく、設定されている現在の設定レベルに音量ボリューム１４で音量調整が行われ、Ｄ／Ａ変換部１５によってアナログ信号に変換され、スピーカ１６から音声出力される（ステップＡ６）
【００３２】
スピーカ１６から音声出力が開始されると、制御部２０は、操作部１７からの音量レベル変更入力を監視すると共に（ステップＡ７）、操作部１７からの入力や音声データのデータエンドに基づく再生終了を監視し（ステップＡ８）、再生終了が検出されると音声データの再生処理を終了させる。
【００３３】
ステップＡ７で音量レベル変更入力が検出されると、制御部２０は、音量レベル変更入力によって変更された音量レベルに基づいて、音量レベル変更情報のレベル補正値を更新させる（ステップＡ８）。例えば、音量レベル変更入力によって音量レベルが２０から２５に５段階アップされた場合には、図５に示すように、フォーマットＢおよびチャンネル数：２ｃｈに対応するレベル補正値：−３ｄＢを５ｄＢアップさせ、２ｄＢに更新させる。
【００３４】
以上説明したように、本実施の形態によれば、音量レベル変更情報記憶部１９にフォーマットに応じたレベル補正値が設定されている音量レベル変更情報を記憶しておき、デコーダ部１２によってフォーマットを判別し、制御部２０は、判別されたフォーマットに基づいて音量レベル変更情報を検索することで、レベル補正値を取得し、取得したレベル補正値によって音量を調整する設定レベルを補正するように構成することにより、異なるフォーマット毎に適切な音量に調整することができるため、一度も聴取していない楽曲データを再生する際にも、適切な音量に調整することができるという効果を奏する。
【００３５】
さらに、本実施の形態によれば、音量レベル変更情報に音声データのフォーマットおよびチャンネル数に応じたレベル補正値を設定しておき、制御部２０は、判別されたフォーマットおよびチャンネル数に基づいて音量レベル変更情報を検索することで、レベル補正値を取得し、取得したレベル補正値によって音量を調整する設定レベルを補正するように構成することにより、異なるフォーマットおよびチャンネル数毎に適切な音量に調整することができるため、一度も聴取していない楽曲データを再生する際にも、適切な音量に調整することができるという効果を奏する。
【００３６】
さらに、本実施の形態によれば、制御部２０は、再生中に音量レベルが変更された場合には、変更された音量レベルに応じて音量レベル変更情報のレベル補正値を更新するように構成することにより、異なるフォーマット毎にユーザの好みに応じた音量調整を簡単に行うことができるという効果を奏する。
【００３７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３８】
【図１】本発明に係る音声データ再生装置の実施の形態の構成を示すブロック図である。
【図２】図１に示す操作部によって設定可能な音量レベルと音量ボリュームの設定レベルとの対応を示す図である。
【図３】図３は、図１に示す音量レベル変更情報記憶部に記憶されている音量レベル変更情報例を示す図である。
【図４】本発明に係る音声データ再生装置の実施の形態における音量レベル自動調整動作および音量レベル変更情報更新動作を説明するためのフローチャートである。
【図５】本発明に係る音声データ再生装置の実施の形態における音量レベル変更情報更新動作によって更新された音量レベル変更情報例を示す図である。
【符号の説明】
【００３９】
１１  音声データ入力部
１２  デコーダ部
１３  音場処理部
１４  音量ボリューム（音量調整手段）
１５  Ｄ／Ａ変換部
１６  スピーカ
１７  操作部
１８  表示部
１９  音量レベル変更情報記憶部
２０  制御部（音量ボリューム制御手段）
【図１】
2007265497.tif 000003
【図２】
2007265497.tif 000004
【図３】
2007265497.tif 000005
【図４】
2007265497.tif 000006
【図５】
2007265497.tif 000007